(57)【要約】【課題】個人認証装置の指静脈パターン入力装置であって、周囲環境に対して閉塞型の指挿入部が採用される場合において、認証対象者の指先端の位置決めに不便を与えることなく指静脈を撮影することのできる個人認証装置の指静脈パターン入力装置を提供する。【解決手段】指静脈パターン入力装置の内部に先端指置き台を設け、認証者の指が先端指置き台に置かれたときに、指先輪郭を撮像できるよう前記指置き台を透明にし、指が左右にブレないように位置決めガイドまたは指先形状と合わせた半円形状部を形成する。【選択図】図３
2010218176.tif 000002
【特許請求の範囲】
【請求項１】
前後左右上下方向のうち一方向側のみが開放された閉塞型の内部空間部を備えた本体と、前記内部空間部に面して本体に設置された指置き台と、該指置き台に載置された認証対象者の指に光を照射する照射手段と、照射された指を撮像する撮像手段とを有する個人認証装置の指静脈パターン入力装置において、
対象者の指が前記指置き台に置かれたときに、指先端の位置を検知して個人認証用の画像を撮像開始する先端検知手段を設けたことを特徴とする個人認証装置の指静脈パターン入力装置。
【請求項２】
請求項１に記載された個人認証装置の指静脈パターン入力装置において、前記先端検知手段は、前記撮像手段により撮像された指先輪郭部と、指先輪郭部を認識する画像処理部を有することを特徴とする指静脈パターン入力装置。
【請求項３】
請求項１または２に記載された個人認証装置の指静脈パターン入力装置において、前記指置き台に認証対象者の指が置かれたことを対象者に感知させる感知付与手段が設けられたことを特徴とする指静脈パターン入力装置。
【請求項４】
請求項３に記載された個人認証装置の指静脈パターン入力装置において、前記感知付与手段は、突起または指外面形状あるいはこれらの組み合わせで形成されることを特徴とする指静脈パターン入力装置。
【請求項５】
請求項３または４に記載された個人認証装置の指静脈パターン入力装置において、前記指置き台に指先端形状に合わせた半円形状を持つ先端指置き台を設け、前記感知付与手段は前記先端指置き台に設けられた指を案内するガイド部材からなることを特徴とする指静脈パターン入力装置。
【請求項６】
請求項５に記載された個人認証装置の指静脈パターン入力装置において、前記ガイド部材は、先端指置き台に設けられた対象者の指の左右方向のブレを抑制する２本のガイド部材からなることを特徴とする指静脈パターン入力装置。
【発明の詳細な説明】
【技術分野】
【０００１】
本発明は、個人認証装置の指静脈パターン入力装置に関する。
【背景技術】
【０００２】
指静脈パターンを撮影し、画像化して個人認証を行う個人認証装置が色々な分野で採用されるようになってきている。
【０００３】
特許文献１には、指を挿入する空間を有する筐体と、筐体の内部壁面に設置された複数の光源手段と、筐体の内部壁面に設置された複数の撮影手段と、複数の撮影手段によって撮影された画像データを合成する合成手段と、合成された画像から挿入された指の爪の位置を検出する爪位置検出手段と、前記爪位置検出手段の出力情報に基づき、合成された画像から指の腹の部分の画像を切り出す画像切り出し手段と、切り出された画像と予め登録されている画像とのマッチングを行い、マッチングの結果を出力するマッチング手段とを備えた個人認証装置が記載されている。
【０００４】
特許文献２には、撮像部と、前記撮像部へ入射する光を照射する光源と、前記撮像部で撮像された画像からパターンを生成し、前記パターンと事前に登録された登録パターンとの照合を行う画像演算部と、前記登録パターンを保持する記録装置と、前記指の撮像位置を示すガイド部とを有し、さらに、前記指の前記ガイド部へ接触を検知する検知部を有する個人認証装置が記載されている。
【先行技術文献】
【特許文献】
【０００５】
【特許文献１】特開２００５−７１３１７号公報
【特許文献２】特開２００６−２６４２７号公報
【発明の概要】
【発明が解決しようとする課題】
【０００６】
個人認証装置で認証を行うとき、必要となる機構として撮像カメラを起動する指先端で操作するスイッチと指先端位置のガイド機構がある。個人認証装置が多方面で採用されるに伴って、個人認証装置の設置される環境や、個人認証を行う対象者も多様化するに至っている。環境によってはホコリや水滴による影響で機構部の動作が著しく低下する場合がある。また個人認証装置の入力装置が周囲環境に対して閉塞型であるために指先端の位置がわかり難く、対象者が必要以上にスイッチを押し、指が反ってしまい撮像画像に影響を及ぼすなど、認証操作において不便を与えるケースがある。
【０００７】
本発明は、上記のような問題を解決し、指配置の再現性と正確性を向上することのできる個人認証装置の指静脈パターン入力装置を提供することを目的とする。
【課題を解決するための手段】
【０００８】
本発明は、個人認証装置の指静脈パターン入力装置において、前後左右上下方向のうち一方向側のみが開放された閉塞型の内部空間部を備えた本体と、前記内部空間部に面して本体に設置された指置き台と、該指置き台に載置された認証対象者の指に光を照射する照射手段と、照射された指を撮像する撮像手段とを有する個人認証装置の指静脈パターン入力装置において、対象者の指が前記指置き台に置かれたときに、指先端の位置を検知して個人認証用の画像を撮像開始する先端検知手段を設けたことを特徴とする。
【０００９】
また、前記先端検知手段は、前記撮像手段により撮像された指先輪郭部を認識する画像処理部を有することを特徴とする。
【００１０】
さらに、前記指置き台に認証対象者の指が置かれたことを対象者に感知させる感知付与手段が設けられたことを特徴とする。
【００１１】
さらに、前記感知付与手段は、突起または指外面形状あるいはこれらの組み合わせで形成されることを特徴とする。
【００１２】
さらに、前記指置き台に指先端形状に合わせた半円形状を持つ先端指置き台を設け、前記感知付与手段は前記先端指置き台に設けられた指を案内するガイド部材からなることを特徴とする。
【００１３】
さらに、前記ガイド部材は、先端指置き台に設けられた対象者の指の左右方向のブレを抑制する２本のガイド部材からなることを特徴とする。
【発明の効果】
【００１４】
本発明によれば、独自の先端指置き台のガイド形状や指先端の感知付与手段を形成しているので、閉塞型の指挿入部が採用される場合において、対象者に不便を与えることなく指静脈を撮像することのできる個人認証装置の指静脈パターン入力装置を提供することができる。
【図面の簡単な説明】
【００１５】
【図１】本発明実施例の指静脈パターン入力装置の構成を示す正面図である。
【図２】本発明指静脈パターン入力装置に指を挿入した状態での模式図である。
【図３】実施例の指静脈パターン入力装置に指を挿入した状態での模式図である。
【図４】本発明実施例の指静脈パターン入力装置の指を案内するガイド部材を説明する模式図である。
【発明を実施するための形態】
【００１６】
以下、本発明の実施例を図面に基づいて説明する。
【実施例】
【００１７】
図１〜図４は、本発明の実施例である個人認証装置の指静脈パターン入力装置の構成を示す図であり、図１は、指挿入方向である手前側から見た正面図、図２は指を挿入した状態での内部状態の縦断面を示す模式図、図３は指挿入状態を上面から示す模式図、図４は図３の先端指置き台を拡大した模式図である。
【００１８】
図１および図２において、指静脈パターン入力装置１００は、本体１、指置き台６、先端指置き台７、および撮像部８から構成されて、組み立てられる。この指静脈パターン入力装置１００は閉塞型として構成され、本体１は指を挿入する一方側が開放するのみで、他の前後左右上下方向の５方向側を閉じた形として構成される。本体１は、内部に枠体３を備え、枠体３の内部に内部空間部１５を形成している。内部空間部１５は断面半円状をなし、下方部に指置き台６と先端指置き台７が載置される。指置き台６の下方の下部空間部１６には撮像部８が設けられる。枠体３の上部空間部１７内には照明手段としての近赤外線発光ＬＥＤからなる照射ＬＥＤ１０が設けられる。
【００１９】
撮像部８は、レンズ、ホルダー、撮像素子、その保持基板を有するカメラユニットＣおよびミラー１８からなり、対象者の指静脈を撮像する。さらに撮像部８で撮像された画像データを処理する画像処理部１１を搭載したＣＰＵ基板１３が設けられている。このような構成において、認証する対象者の指１２を指置き台６と先端指置き台７に載置し、上方部に設けた照射手段である照射ＬＥＤ１０により指１２を照射し、指１２を透過して下部空間部１６に向かう光を撮像部８で撮像して画像処理と指認証を行う。
【００２０】
指静脈パターン入力装置１００の内部空間部１５は、奥行方向においてテーパ状に狭まる空間部として形成され、上面壁はなめらかに形成され内部空間部１５を狭めている。
【００２１】
指置き台６は対象者の指１２の根本方向に設けてあり、先端指置き台７は下部空間部１６に通じる撮像開口部９の指１２の爪側に設けてある。先端指置き台７の上には、指１２の左右のブレを補正する突起からなる位置決めガイド５が感知付与手段として設けてあり、この位置決めガイド５に対象者の指１２が接触しこれを感知することによって、適切な認証撮像位置に指１２が載置されたことを対象者が把握することができる。すなわち、位置決めガイド５は認証する対象者に指１２が正しい認証位置にあることを感知させる。この位置決めガイドは突起形状の他、指外面形状をなしていても良く、あるいはこれらの組み合わせであってもよい。このようにして感知付与手段が形成される。
【００２２】
図３において、先端指置き台７の先端部に挿入された指１２の指先輪郭部１４は、指定された位置に指１２が挿入されたことを指静脈パターン入力装置１００に検出させる。先端指置き台７は無色透明な合成樹脂材料等で形成されており、撮像部８を介して指１２の指先輪郭部１４と静脈の画像を撮像し、既に登録された対象者のデータと照合を行う。データ照合ＯＫの判断のもとに照射ＬＥＤ１３を点灯し、撮像される画像の取り込みを開始する。このように先端検知手段が形成される。すなわち撮像部８により指先輪郭部１４を検知することが撮像に必要な画像取り込み開始のスイッチ機能を果たす。従って、従来用いられていた指先検出スイッチは不要となる。上記において、撮像部８は図示しない検出スイッチにより対象者の指の指静脈パターン入力装置１００への挿入を検出し、その後所定時間の間撮像を続けてもよい。
【符号の説明】
【００２３】
１…本体、２…マスク、３…枠体、４…案内面、５…位置決めガイド、６…指置き台、７…先端指置き台、８…撮像部（撮像手段）、９…撮像開口部、１０…照射ＬＥＤ、
１１…画像処理部、１２…指、１３…ＣＰＵ基板、１４…指先輪郭、１５…内部空間部、１６…下部空間部、１７…上部空間部、１８…ミラー、１００…指静脈パターン入力装置、Ｃ…カメラユニット
【図１】
2010218176.tif 000003
【図２】
2010218176.tif 000004
【図３】
2010218176.tif 000005
【図４】
2010218176.tif 000006